(57)【要約】      （修正有）【課題】作業性と安全性の両方に優れる架線敷設装置を提供する。【解決手段】レバー固定部１１は、一対のレバー部１０ａ２、１０ｂ２の閉状態を固定する。レバー固定解除部１２は、レバー固定部１１の固定を解除する。一対の弾性体１３ａ、１３ｂは、一対のアーム部１０ａ１、１０ｂ１の先端のそれぞれに設けられ、凹部１３ａ１、１３ｂ１を有する。ローラー群１４は、各ローラー１４ａの軸方向を、一対のアーム部１０ａ１、１０ｂ１の開閉方向と平行方向に配置し、且つ、各ローラー１４ａの内周壁が、閉状態の一対のアーム部１０ａ１、１０ｂ１で形成される第一の空間よりも小さい第二の空間を形成するように、各ローラー１４ａを配置することで構成される。フック部１６は、内周壁で形成される第三の空間に、凹部１３ａ１、１３ｂ１で形成される第四の空間が含まれるように、所定のローラー１４ａの他端１４ａ２に設けられる。【選択図】図４
2020036484.tif 000002
【特許請求の範囲】
【請求項１】
一対のアーム部のそれぞれから延設された一対のレバー部を枢軸によって連結することで、前記一対のレバー部の開閉に対応して、前記一対のアーム部を開閉させるハンドバイスと、
前記一対のレバー部が閉じると、当該一対のレバー部の閉状態を固定するレバー固定部と、
操作されると、前記レバー固定部の固定を解除して、前記一対のレバー部を開状態にするレバー固定解除部と、
前記一対のアーム部の先端のそれぞれに設けられ、前記一対のアーム部の開閉方向と直角方向に沿って空いた凹部を有する一対の弾性体と、
各ローラーの軸方向を、前記一対のアーム部の開閉方向と平行方向に配置し、且つ、前記一対のアーム部の開閉方向と直角方向から見て、前記各ローラーの内周壁が、閉状態の一対のアーム部で形成される第一の空間よりも小さい第二の空間を形成するように、前記各ローラーを配置することで構成されるローラー群と、
前記各ローラーの一端を前記アーム部の一部に取り付けて固定するローラー固定部と、
前記一対のアーム部の開閉方向と直角方向から見て、本フック部の内側壁で形成される第三の空間に、閉状態の一対のアーム部における一対の弾性体の凹部で形成される第四の空間が含まれるように、所定のローラーの他端に設けられるフック部と、
付勢部の付勢により、前記フック部の出入口を閉状態に維持するゲート部と、
を備え、
前記ゲート部を支持線に押し当てて、前記ゲート部を開けて、前記支持線を前記フック部の出入口に通すとともに、前記付勢部の付勢により前記ゲート部を閉じ、前記一対の弾性体の凹部に前記支持線を入れて、前記一対のレバー部を閉じて、当該一対のレバー部の閉状態を前記レバー固定部で固定し、前記ローラー群で形成される第二の空間に架線を挿通して、当該架線を敷設する
架線敷設装置。
【請求項２】
前記フック部が取り付けられたローラーの軸方向を、前記一対のアーム部の開閉方向と平行方向を中心として所定の角度だけ傾斜させて配置し、
前記フック部を、閉状態の一対のアーム部における一対の弾性体の凹部から離れた位置に配置させる
請求項１に記載の架線敷設装置。
【請求項３】
前記一対のアーム部のうち、左側のアーム部に配置されるローラー固定部は、前記左側のアーム部の先端に第一のローラーの他端を向けた状態で、当該第一のローラーの一端を前記左側のアーム部の背面側に固定し、
右側のアーム部に設置されるローラー固定部は、前記右側のアーム部の先端に第二のローラーの他端を向けた状態で、当該第二のローラーの一端を前記右側のアーム部の背面側に固定し、前記左側のアーム部の中央付近に第三のローラーの他端を向けた状態で、当該第三のローラーの一端を前記右側のアーム部の正面側に固定する
請求項１又は２に記載の架線敷設装置。
【請求項４】
前記フック部の出入口の位置は、前記一対のアーム部の先端に向かう方向に設けられる
請求項１−３のいずれか一項に記載の架線敷設装置。
【発明の詳細な説明】
【技術分野】
【０００１】
本発明は、架線敷設装置に関する。
【背景技術】
【０００２】
従来、所定間隔に設置された電柱等の支持柱を経由して、配電線、電話ケーブル、光ケーブル、太陽光発電用送電線等の架線を敷設（布設、張設）する場合、メッセンジャーワイヤー、ケブラーロープ等の支持線を電柱に予め張設し、支持線に架線敷設装置を固定し、架線敷設装置を介して電柱に架線を敷設している。
【０００３】
このような架線敷設装置に関して、従来、多種の技術が存在する。例えば、特開平１１−２６２１２４号公報（特許文献１）には、吊下げフックと、固定杆と、締付け杆と、固定杆枢着軸とを備える架線用ローラーの固定装置及び固定方法が開示されている。この固定装置では、吊下げフックは、架線用ローラーの組付けフレームに嵌入内面を窪設している。固定杆は、吊下げフックの左右の位置に、嵌入内面と対向して押止フックを前半部に形成し、中央部を伸縮バネで連結して前後半部を二分している。締付け杆は、嵌入内面の最高位置と略横一直線上の高さ位置に設けた回転中心軸を中心に後端側が上下動するように構成している。固定杆枢着軸は、固定杆の後半部と締付け杆とを枢着し、回転中心軸の外側周囲は、固定杆枢着軸が回動する位置に取付けられる。そして、メッセンジャーワイヤーを押止で嵌入内面に押止した位置での押止フックの先端と、固定杆枢着軸とを結ぶ一直線上内に回転中心軸が位置する地点で死点を形成し、更に死点を通過して締付け杆を傾倒締付けする。これにより、架線用ローラーをメッセンジャーワイヤーの所望位置にてワンタッチで固定し、或は、解離して迅速に作業が遂行出来るとしている。
【０００４】
特開２０００−１８４５３３号公報（特許文献２）には、螺旋状支持具の施工方法が開示されている。この施工方法では、螺旋状支持具の一端と引綱の先端を先導滑車に結合する手順と、内径を持つ螺旋状支持具をメッセンジャ−ワイヤ−と引綱に巻回しながら他方の電柱側に移送する手順と、該移送が前記引綱の先端を電動自送機で引っ張る手順と、該螺旋状支持具の他端とこれに連接する次の螺旋状支持具の一端に雄雌端子付きコネクタ−にて連結を繰り返す手順と、固定具にて螺旋状支持具をメッセンジャ−ワイヤ−に固定する手順と、ケ−ブルを螺旋状支持具内に引き込む手順とで構成される。これにより、宙吊り作業をする必要のない安全工法で、脱落や横ずれしない長スパンのケ−ブル吊り下げ用螺旋状支持具の施工方法を提供出来るとしている。
【０００５】
特開２００２−１８６１２７号公報（特許文献３）には、ケーブル架設方法が開示されている。この方法では、電柱間に予め張設した吊架線にコイルを外挿し、コイルを介してケーブルを架設するに際し、一端を固定したこのコイルの内側にケーブルと押送線を挿入して、コイルの非固定端部と、ケーブルの一端と、押送線の先端とを束ね、次いで押送線を押し送ることにより、コイルとケーブルとを同時に他方の電柱側へ移動させて、コイルの非固定端部を他方の電柱側に固定した後、コイルから押送線を引き抜く。これにより、作業能率を一層向上することが出来るとしている。
【０００６】
特開２００６−８７２５１号公報（特許文献４）には、架空ケーブルの布設方法が開示されている。この方法では、支持柱間に支持線を張り、該支持線にローラーを吊り下げ、該ローラーに架空ケーブルを通して架空ケーブルを牽引し、しかる後架空ケーブルを支持柱に支持固定する架空ケーブルの布設方法を前提とする。この方法は、前記ローラーに架空ケーブルを通して架空ケーブルを延線する際の支持柱間に位置する架空ケーブルの長さが、架空ケーブルを支持柱に固定した際に所定の弛度となる長さとオフセット部形成に要する長さとの和になる状態で延線する。これにより、架空ケーブルを支持柱間にオフセット部を形成して支持固定する際に、該支持柱間に牽引されている長さのケーブルのみの使用で足り、したがって、従来のように隣の支持柱間に牽引されているケーブルを使用する作業や隣の支持柱間にケーブルを送り出す作業を必要とせず、よって、架空ケーブルを支持柱間にオフセット部を形成して支持固定する作業を簡単に行うことが出来るとしている。
【０００７】
又、特開２０１５−１６７４２９号公報（特許文献５）には、ケーブルハンガー着脱装置が開示されている。この装置は、メッセンジャーワイヤー（長尺物品）上の配設位置に固定され、挟み込みポイントにおいてケーブルハンガーを挟んで押圧するドリブンローラー及びドライブローラー（一対のローラー）と、各ローラーにケーブルハンガーの送り出し及び引き込みを実現させる回転駆動手段とを備える。各ローラーの外周面には、挟み込みポイントにおいてケーブルハンガーの線材を径方向において収容する凹形状が設けられる。ケーブルハンガーの送り出し及び引き込みの方向は、ケーブルハンガーが吊り下げ状態とされた場合に挟み込みポイントにおいて線材が延びる方向と一致する角度に向けられる。これにより、ケーブルハンガーのより安定的な送り出しおよび引き込みが可能となるとしている。
【先行技術文献】
【特許文献】
【０００８】
【特許文献１】特開平１１−２６２１２４号公報
【特許文献２】特開２０００−１８４５３３号公報
【特許文献３】特開２００２−１８６１２７号公報
【特許文献４】特開２００６−８７２５１号公報
【特許文献５】特開２０１５−１６７４２９号公報
【発明の概要】
【発明が解決しようとする課題】
【０００９】
架線敷設は、通常、架線敷設装置を支持線に吊り下げた上で、敷設対象の架線を架線敷設装置のローラーに通して架線を敷設していく。架線敷設は、主に、高所作業であるため、支持線に吊り下げた架線敷設装置は、支持線等の何らかの振動や揺動により、支持線から外れる場合がある。架線敷設装置が支持線から外れると、下方にいる人や物に対して衝突し、事故の原因になるという課題がある。特に、近年の安心安全志向は強く、確実に落下しない架線敷設装置が求められている。
【００１０】
一方で、作業性の面では、支持線にワンタッチで固定又は解除出来、且つ、架線の巻き付きが生じない架線敷設装置が求められている。
【００１１】
特許文献１に記載の技術では、上述のように、架線敷設装置の吊下げフックによる吊下げであり、落下の可能性がある。又、特許文献２に記載の技術では、螺旋状支持具でメッセンジャーワイヤーと引綱に巻回しするため、落下の可能性は無いものの、作業性が悪い。特許文献３に記載の技術では、電柱間に張設した吊架線にコイルを外挿するため、落下の可能性は無いものの、この技術も作業性が悪い。特許文献４に記載の技術では、支持線にローラーを吊り下げるため、落下の可能性がある。特許文献５に記載の技術では、メッセンジャーワイヤーにケーブルハンガーの取り付け部で挟んでケーブルハンバーを取り付けるものの、この取り付け部が、何らかの原因により外れると、落下の可能性がある。
【００１２】
そこで、本発明は、前記課題を解決するためになされたものであり、ワンタッチで支持線に固定出来るとともに、支持線から１００％落下しないという、作業性と安全性の両方に優れる架線敷設装置を提供することを目的とする。
【課題を解決するための手段】
【００１３】
本発明者は、鋭意研究を重ねた結果、本発明に係る新規な架線敷設装置を完成させた。即ち、本発明に係る架線敷設装置は、ハンドバイスと、レバー固定部と、レバー固定解除部と、一対の弾性体と、ローラー群と、ローラー固定部と、フック部と、ゲート部と、を備える。ハンドバイスは、一対のアーム部のそれぞれから延設された一対のレバー部を枢軸によって連結することで、前記一対のレバー部の開閉に対応して、前記一対のアーム部を開閉させる。レバー固定部は、前記一対のレバー部が閉じると、当該一対のレバー部の閉状態を固定する。レバー固定解除部は、操作されると、前記レバー固定部の固定を解除して、前記一対のレバー部を開状態にする。一対の弾性体は、前記一対のアーム部の先端のそれぞれに設けられ、前記一対のアーム部の開閉方向と直角方向に沿って空いた凹部を有する。ローラー群は、各ローラーの軸方向を、前記一対のアーム部の開閉方向と平行方向に配置し、且つ、前記一対のアーム部の開閉方向と直角方向から見て、閉状態の一対のアーム部で形成される第一の空間よりも小さい第二の空間を形成するように、前記各ローラーを配置することで構成される。ローラー固定部は、前記各ローラーの一端を前記アーム部の一部に取り付けて固定する。フック部は、前記一対のアーム部の開閉方向と直角方向から見て、本フック部の内側壁で形成される第三の空間に、閉状態の一対のアーム部における一対の弾性体の凹部で形成される第四の空間が含まれるように、所定のローラーの他端に設けられる。ゲート部は、付勢部の付勢により、前記フック部の出入口を閉状態に維持する。本発明に係る架線敷設装置は、前記ゲート部を支持線に押し当てて、前記ゲート部を開けて、前記支持線を前記フック部の出入口に通すとともに、前記付勢部の付勢により前記ゲート部を閉じ、前記一対の弾性体の凹部に前記支持線を入れて、前記一対のレバー部を閉じて、当該一対のレバー部の閉状態を前記レバー固定部で固定し、前記ローラー群で形成される第二の空間に架線を挿通して、当該架線を敷設する。
【発明の効果】
【００１４】
本発明によれば、ワンタッチで支持線に固定出来るとともに、支持線から１００％落下しないという、作業性と安全性の両方に優れる架線敷設装置を提供することが可能となる。
【図面の簡単な説明】
【００１５】
【図１】本発明に係る架線敷設装置のハンドバイスの開状態を示す正面図（図１Ａ）と、右側面図（図１Ｂ）と、である。
【図２】本発明に係る架線敷設装置のハンドバイスの開状態を示す背面図（図２Ａ）と、斜視図（図２Ｂ）と、である。
【図３】本発明に係る架線敷設装置のハンドバイスの閉状態を示す正面図（図３Ａ）と、右側面図（図３Ｂ）と、である。
【図４】本発明に係る架線敷設装置のハンドバイスの閉状態を示す背面図（図４Ａ）と、斜視図（図４Ｂ）と、である。
【図５】第一の空間と第二の空間との関係を示す正面図（図５Ａ）と、第三の空間と第四の空間との関係を示す背面図（図５Ｂ）と、である。
【図６】本発明に係る架線敷設装置のフック部を支持線に引っ掛ける際の一例を示す斜視図（図６Ａ）と、架線敷設装置のハンドバイスの先端を支持線に挟む際の一例を示す斜視図（図６Ｂ）と、である。
【図７】本発明に係る架線敷設装置の複数のローラーに架線を挿通させる際の一例を示す斜視図（図７Ａ）と、複数のローラーに囲まれた空間に架線を挿通させた際の一例を示す斜視図（図７Ｂ）と、である。
【図８】本発明に係る架線敷設装置の複数のローラーに囲まれた空間に架線を挿通させた際の一例を示す斜視図（図８Ａ）と、架線敷設装置のハンドバイスが開状態になった際の一例を示す斜視図（図８Ｂ）と、である。
【図９】２種類の架線敷設装置を支持線に固定し、架線を挿通した際の一例を示す図である。
【図１０】２種類の架線敷設装置のレバー固定部の固定が解除された際の一例を示す図である。
【発明を実施するための形態】
【００１６】
以下に、添付図面を参照して、本発明に係る実施形態について説明し、本発明の理解に供する。尚、以下の実施形態は、本発明を具体化した一例であって、本発明の技術的範囲を限定する性格のものではない。
【００１７】
本発明に係る架線敷設装置１は、メッセンジャーワイヤー等の支持線に固定し、配電線等の架線を挿通する架線敷設装置であって、図１−図４に示すように、ハンドバイス１０と、レバー固定部１１と、レバー固定解除部１２と、一対の弾性体１３ａ、１３ｂと、ローラー群１４と、ローラー固定部１５と、フック部１６と、ゲート部１７とを備える。
【００１８】
ハンドバイス１０は、一対のアーム部（図１−図４では、左側のアーム部１０ａ１、右側のアーム部１０ｂ１）のそれぞれから延設された一対のレバー部（図１−図４では、右側のレバー部１０ａ２、左側のレバー部１０ｂ２）を枢軸１０ｃによって連結することで、一対のレバー１０ａ２、１０ｂ２の開閉に対応して、一対のアーム部１０ａ１、１０ｂ１を開閉させる。図１、図２は、ハンドバイス１０の一対のレバー部１０ａ２、１０ｂ２を開いた状態の架線敷設装置を示し、図３、図４は、ハンドバイス１０の一対のレバー部１０ａ２、１０ｂ２を閉じた状態の架線敷設装置を示す。
【００１９】
レバー固定部１１は、一対のレバー部１０ａ２、１０ｂ２が閉じると、一対のレバー部１０ａ２、１０ｂ２の閉状態を固定する。レバー固定解除部１２は、操作されると、レバー固定部１１の固定を解除して、一対のレバー部１０ａ２、１０ｂ２を開状態にする。
【００２０】
一対の弾性体（図１−図４では、左側の弾性体１３ａ、右側の弾性体１３ｂ）は、一対のアーム部１０ａ１、１０ｂ１の先端のそれぞれに設けられ、一対のアーム部１０ａ１、１０ｂ１の開閉方向と直角方向に空いた凹部１３ａ１、１３ｂ１を有する。
【００２１】
ローラー群１４は、各ローラー１４ａの軸方向を、一対のアーム部１０ａ１、１０ｂ１の開閉方向と平行方向に配置し、且つ、図５Ａに示すように、一対のアーム部１０ａ１、１０ｂ１の開閉方向と直角方向から見て、各ローラー１４ａの内周壁が、閉状態の一対のアーム部１０ａ１、１０ｂ１で形成される第一の空間Ｓ１よりも小さい第二の空間Ｓ２を形成するように、各ローラー１４ａを配置することで構成される。ローラー固定部１５は、各ローラー１４ａの一端１４ａ１をアーム部１０ａ１、１０ｂ１の一部に取り付けて固定する。
【００２２】
フック部１６は、図５Ｂに示すように、一対のアーム部１０ａ１、１０ｂ１の開閉方向と直角方向から見て、本フック部１６の内周壁で形成される第三の空間Ｓ３に、閉状態の一対のアーム部１０ａ１、１０ｂ１における一対の弾性体１３ａ、１３ｂの凹部１３ａ１、１３ｂ１で形成される第四の空間Ｓ４が含まれるように、所定のローラー１４ａの他端１４ａ２に設けられる。ゲート部１７は、付勢部の付勢により、フック部１６の出入口を閉状態に維持する。フック部１６とゲート部１７は、例えば、いわゆるカラビナの構成であり、付勢部は、フック部１６とゲート部１７との間に内蔵されている。
【００２３】
そして、本発明に係る架線敷設装置１は、図６Ａに示すように、ゲート部１７を支持線２０に押し当てて、ゲート部を開けて、支持線２０をフック部１６の出入口に通すとともに、付勢部の付勢によりゲート部１７を閉じる。更に、図６Ｂに示すように、一対の弾性体１３ａ、１３ｂの凹部１３ａ１、１３ｂ１に支持線２０を入れて、一対のレバー部１０ａ２、１０ｂ２を閉じて、当該一対のレバー部１０ａ２、１０ｂ２の閉状態をレバー固定部１１で固定し、図７Ａに示すように、ローラー群１４で形成される第二の空間Ｓ２に架線２１を挿通して、図７Ｂ、図８Ａに示すように、当該架線２１を敷設する。
【００２４】
これにより、架線敷設装置１を支持線２０に簡単に固定するとともに、架線２１を架線敷設装置１に挿通して、架線２１の敷設を行うことが可能となる。又、架線敷設装置１のレバー固定解除部１２が何らかの原因により作動して、一対のアーム部１０ａ１、１０ｂ１が開かれたとしても、図８Ｂに示すように、フック部１６が支持線２０に引っ掛かり、且つ、ゲート部１７がフック部１６の出入口を閉状態に維持しているため、架線敷設装置１が下方に１００％落下することが無く、安全性に優れる。
【００２５】
具体的に説明すると、先ず、支持線２０への架線敷設装置１の固定は、高所作業であるため、作業の容易性が求められる。本発明に係る架線敷設装置１では、一対のレバー部１０ａ２、１０ｂ２の閉め（握り）により、一対のアーム部１０ａ１、１０ｂ１が閉められるとともに、レバー固定部１１が自動的に一対のレバー部１０ａ２、１０ｂ２の閉状態を固定する。そのため、一対のアーム部１０ａ１、１０ｂ１の閉状態も固定される。つまり、作業者が、一対のアーム部１０ａ１、１０ｂ１における一対の弾性体１３ａ、１３ｂの凹部１３ａ１、１３ｂ１で支持線２０を挟んだ際に、その挟んだ状態で一対のアーム部１０ａ１、１０ｂ１及び一対のレバー部１０ａ２、１０ｂ２が固定されることから、作業者のワンタッチの握り作業により支持線２０を弾性体１３ａ、１３ｂの凹部１３ａ１、１３ｂ１で挟んで、架線敷設装置１を簡単に固定することが可能となり、作業の容易化を図ることが出来る。
【００２６】
又、フック部１６とゲート部１７とは、例えば、カラビナとして構成され、ゲート部１７は、スプリング等の付勢部の付勢により、フック部１６の出入口を閉状態に維持する。つまり、ゲート部１７は、常時フック部１６の出入口を閉状態にして勝手に開かないようにロックするセーフティーロックとして機能する。これにより、先ず、フック部１６を支持線２０に吊り下げる際には、作業者が、ゲート部１７を支持線１２に押し当てれば、付勢部の付勢に抵抗して、ゲート部１７がフック部１６の出入口を開かれるため、支持線２０をフック部１６の出入口に通して、フック部１６に容易に吊り下げることが出来る。又、支持線２０がフック部１６に吊り下げられると、ゲート部１７の付勢部の付勢が再開され、付勢部の付勢によりゲート部１７がフック部１６の出入口を自動的に閉じることから、支持線２０がゲート部１７を勝手に開いてフック部１６から外れることが無く、安全性を更に向上させることが出来る。
【００２７】
ここで、フック部１６を吊り下げた支持線２０は、一対のアーム部１０ａ１、１０ｂ１の開閉方向と略直角方向に延びることになるが、作業者が、フック部１６を支持線２０に吊り下げた後に、弾性体１３ａ、１３ｂの凹部１３ａ１、１３ｂ１で支持線２０を挟む際に、一対のアーム部１０ａ１、１０ｂ１の開閉方向と直角方向から見て、閉状態の弾性体１３ａ、１３ｂの凹部１３ａ１、１３ｂ１の第四の空間Ｓ４がフック部１６の第三の空間Ｓ３に含まれていることから、フック部１６を吊り下げた支持線２０が、丁度、一対の弾性体１３ａ、１３ｂの凹部１３ａ１、１３ｂ１で挟むことが出来る位置に延びるため、作業者が、支持線２０を弾性体１３ａ、１３ｂの凹部１３ａ１、１３ｂ１で容易に挟むことが可能となる。
【００２８】
更に、一対のアーム部１０ａ１、１０ｂ１の開閉方向と直角方向から見て、閉状態のローラー群１４の第二の空間Ｓ２が、閉状態の一対のアーム部１０ａ１、１０ｂ１で形成される第一の空間Ｓ１よりも小さいことから、作業者が、支持線２０と平行方向に、且つ、一対のアーム部１０ａ１、１０ｂ１の開閉方向と略直角方向に延びる架線２１を閉状態のローラー群１４の第二の空間Ｓ２に挿通すると、架線２１が、ローラー群１４のローラー１４ａの内周壁に取り囲まれるため、ローラー１４ａの内周壁の滑り性により、架線２１を、一対のアーム部１０ａ１、１０ｂ１に引っ掛けることなく、安全に送り出すことが可能となる。
【００２９】
ここで、本発明に係る架線敷設装置１は、レバー固定部１１とレバー固定解除部１２とを備えている。これは、架線の敷設中では、一対のレバー部１０ａ２、１０ｂ２の閉状態を固定する必要があるとともに、架線の敷設完了後では、一対のレバー部１０ａ２、１０ｂ２の閉状態の固定を解除する必要があるためである。つまり、一対のレバー部１０ａ２、１０ｂ２は、閉状態の固定と閉状態の固定の解除との両方が求められている。
【００３０】
そのため、架線２１の送り出しの際に、上述したように、何らかの原因で、架線敷設装置１のレバー固定解除部１２が操作される可能性もある。仮に、作業者の意に反して、レバー固定解除部１２が操作された場合、一対のレバー部１０ａ２、１０ｂ２の閉状態の固定が解除され、一対のレバー部１０ａ２、１０ｂ２が開くとともに、一対のアーム部１０ａ１、１０ｂ１が開き、一対の弾性体１３ａ、１３ｂの凹部１３ａ１、１３ｂ１の挟みが解除される。すると、架線敷設装置１が支持線２０から落下そうになるが、本発明では、フック部１６が支持線２０に引っ掛かり、且つ、ゲート部１７がフック部１６の出入口を閉状態に維持していることから、架線敷設装置１は支持線２０から外れることは無く、支持線２０に引っ掛かった状態のままとなる。これにより、作業中における架線敷設装置１の落下を１００％確実に防止し、安全性を高めることが出来る。つまり、本発明に係る架線敷設装置１では、ワンタッチで支持線に固定出来るとともに、支持線から１００％落下しないという、作業性と安全性の両方を兼ね備えているのである。
【００３１】
ここで、ハンドバイス１０における一対のアーム部１０ａ１、１０ｂ１と一対のレバー部１０ａ２、１０ｂ２との形状に特に限定は無い。例えば、図１−図４に示すように、アーム部１０ａ１、１０ｂ１からレバー部１０ａ２、１０ｂ２までの形状をＳ字状にし、Ｓ字状の中心付近で枢軸１０ｃによって開閉自在に連結しても良い。他の構成として、例えば、アーム部１０ａ１、１０ｂ１からレバー部１０ａ２、１０ｂ２までの形状をＩの字状にし、Ｉの字状の中心付近で枢軸１０ｃによって開閉自在に連結しても良い。他の形状として、Ｌの字状であっても構わない。ハンドバイス１０の構成に特に限定は無い。
【００３２】
又、レバー固定部１１の構成に特に限定は無い。例えば、図１−図４に示すように、右側のレバー部１０ａ２と左側のレバー部１０ｂ２との間に伸縮自在の棒を配置し、棒の一端を右側のレバー部１０ａ２の上方付近に揺動可能に設置し、棒の他端を左側のレバー部１０ｂ２の下方付近に揺動可能に配置し、Ｌ字状レバー部の短片の開口部に棒を挿通し、Ｌ字状レバー部の短片と棒との間にスプリング等の付勢部を設ける。右側のレバー部１０ａ２と左側のレバー部１０ｂ２とを閉じると、付勢部がＬ字状レバー部の短片を付勢して、Ｌ字状レバー部の短片が棒に引っ掛かり、棒の伸びが固定され、右側のレバー部１０ａ２と左側のレバー部１０ｂ２との閉状態を固定する。このようなレバー固定部１１の構成は、一般的なハンドバイス１０に見られるが、他の構成として、例えば、歯車式などでも構わない。
【００３３】
又、レバー固定解除部１２の構成に特に限定は無い。例えば、図１−図４に示すように、レバー固定部１１が、上述のＬ字状レバー部を備える場合は、レバー固定解除部１２をＬ字状レバー部の長片にして、Ｌ字状レバー部の長片を操作することで、Ｌ字状レバー部の短片が付勢部の付勢に抵抗して動き、Ｌ字状レバー部の短片から棒の引っ掛かりを解除して、棒が伸びて、右側のレバー部１０ａ２と左側のレバー部１０ｂ２との閉状態が解除される。このようなレバー固定解除部１２の構成は、一般的なハンドバイス１０に見られるが、他の構成として、例えば、スイッチ式などでも構わない。
【００３４】
又、一対の弾性体１３ａ、１３ｂの形状に特に限定は無い。例えば、図１−図４に示すように、一対のアーム部１０ａ１、１０ｂ１の先端に対応した直方体を挙げることが出来るが、他の形状であっても良い。又、一対の弾性体１３ａ、１３ｂの材質に特に限定は無いが、例えば、硬質ゴム等を挙げることが出来る。
【００３５】
又、一対の弾性体１３ａ、１３ｂの凹部１３ａ１、１３ｂ１の構成に特に限定は無い。例えば、図１−図４に示すように、断面視がＶ字状の溝を挙げることが出来るが、他の構成として、断面視がＵ字状の溝や他の形状であっても構わない。
【００３６】
ところで、一対の弾性体１３ａ、１３ｂの凹部１３ａ１、１３ｂ１は、一対のアーム部１０ａ１、１０ｂ１の開閉方向と厳密に直角方向に沿って空けられる必要は無く、一対のアーム部１０ａ１、１０ｂ１の開閉方向と直角方向を中心として所定の凹部角度を含む範囲で空けられていれば良い。ここで、凹部角度は、例えば、１度〜１５度の範囲内である。
【００３７】
又、ローラー群１４のローラー１４ａの軸方向は、一対のアーム部１０ａ１、１０ｂ１の開閉方向と厳密に平行方向に配置される必要は無く、一対のアーム部１０ａ１、１０ｂ１の開閉方向と平行方向を中心として所定のローラー角度を含む範囲で配置されていれば良い。ここで、ローラー角度は、例えば、１度〜３０度の範囲内である。
【００３８】
具体的には、図１Ｂに示すように、フック部１６が取り付けられたローラー１４ａの軸方向Ａを、一対のアーム部１０ａ１、１０ｂ１の開閉方向Ｌと平行方向を中心として所定の角度α（例えば、２０度）だけ傾斜させて配置し、フック部１６を、閉状態の一対のアーム部１０ａ１、１０ｂ１における一対の弾性体１３ａ、１３ｂの凹部１３ａ１、１３ｂ１から離れた位置に配置させる。これにより、作業者が、フック部１６を支持線２０に吊り下げる際に、フック部１６と、アーム部１０ａ１、１０ｂ１の先端の弾性体１３ａ、１３ｂとの距離が離れるため、フック部１６を吊り下げ易くなるとともに、フック部１６を吊り下げた後の支持線２０にアーム部１０ａ１、１０ｂ１の先端における弾性体１３ａ、１３ｂの凹部１３ａ１、１３ｂ１を挟み易くする。
【００３９】
又、ローラー１４ａの数に特に限定は無い。例えば、図１−図４に示すように、３本であっても良いし、４本であっても、それ以上であっても良い。複数のローラー１４ａが、内周壁で取り囲まれた第二の空間Ｓ２を形成すれば良いため、ローラー１４ａの数が３本である場合、３本のローラー１４ａのそれぞれを辺として、上方を頂点とし、下方を底辺とする三角形状に配置されたり、下方を頂点とし、上方を底辺とする逆三角形状に配置されたりする。ローラー１４ａの数が４本である場合、４本のローラー１４ａのそれぞれを辺として、四角形状に配置される。
【００４０】
又、ローラー１４ａの配置形態に特に限定は無い。例えば、ローラー１４ａが軸方向に沿って回転可能に配置されても良いし、回転を固定して配置されても良い。つまり、架線２１は、ローラー１４ａの内周壁に囲まれた第二の空間Ｓ２に挿通され、ローラー１４ａの内周壁の滑り性により、ローラー１４ａに引っ掛からない形態であれば、特に限定は無い。
【００４１】
又、ローラー固定部１５によるローラー１４ａの固定形態に特に限定は無い。例えば、図１−図４に示すように、ローラー１４ａの数が３本である場合、左側のアーム部１０ａ１に配置されるローラー固定部１５は、左側のアーム部１０ａ１の先端に第一のローラー１４ａの他端１４ｂを向けた状態で、当該第一のローラー１４ａの一端１４ａ１を左側のアーム部１０ａ１の背面側に固定し、右側のアーム部１０ａ２に設置されるローラー固定部１５は、右側のアーム部１０ａ２の先端に第二のローラー１４ａの他端を向けた状態で、当該第二のローラー１４ａの一端１４ａ１を右側のアーム部１０ａ２の背面側に固定し、左側のアーム部１０ａ１の中央付近に第三のローラー１４ａの他端を向けた状態で、当該第三のローラー１４ａの一端１４ａ１を右側のアーム部１０ａ２の正面側に固定している。つまり、３本のローラー１４ａが三角形状になるように、左側のアーム部１０ａ１のローラー固定部１５では、１本のローラー１４ａを固定し、右側のアーム部１０ｂ１のローラー固定部１５では、２本のローラー１４ａを固定している。このように、ローラー１４ａの数を３本とし、３本のローラー１４ａを三角形状に配置することで、部品点数を減らして、一対のアーム部１０ａ１、１０ｂ１へのローラー１４ａの固定を容易にするとともに、架線敷設装置１の軽量化を可能とする。上述の構成であれば、二つのローラー固定部１５だけで足りる。尚、上述は、ローラー１４ａの固定形態の一例であり、ローラー１４ａの固定形態は、ローラー１４ａの数とローラー群１４の形状に応じて適宜設計変更される。
【００４２】
又、ローラー固定部１５の構成に特に限定は無い。例えば、図１−図４に示すように、アーム部１０ａ１、１０ｂ１の中央付近に外側から嵌り、且つ、ローラー１４ａの一端１４ａ１を固定するコの字状の金具として構成されているが、他の構成でも構わない。
【００４３】
又、フック部１６とゲート部１７の構成は、例えば、カラビナを想定しているが、これに特に限定は無い。カラビナに類似する構成であれば、安全弁付きフック等であっても構わない。フック部１６の形状に特に限定は無く、例えば、楕円形、円形、多角形等を挙げることが出来る。フック部１６の出入口の形状やゲート部１７の形状についても特に限定は無い。
【００４４】
又、フック部１６の出入口の位置に特に限定は無いが、例えば、図１−図４に示すように、一対のアーム部１０ａ１、１０ｂ１の先端に向かう方向に設けられると好ましい。これにより、作業者が、ハンドバイス１０を振り上げて、一対のアーム部１０ａ１、１０ｂ１の先端を支持線２０に接近させれば、フック部１６の出入口が支持線２０に接近するため、支持線２０をフック部１６に引っ掛け易いとともに、後に続く、支持線２０への一対の弾性体１３ａ、１３ｂの挟み込みも容易となり、作業性を更に向上させることが出来る。
【００４５】
さて、以下に、本発明に係る架線敷設装置１の作用効果について具体的に説明する。図１−図４に基づいて、本発明に係る架線敷設装置１の大型と小型の２種類を作製し、メッセンジャーワイヤーを模擬した細ロープ２０を張り、そこに２種類の架線敷設装置１を取り付け、更に、配電線を模擬した太ロープ２１を２種類の架線敷設装置１に通して敷設した。図９に示すように、いずれの架線敷設装置１であっても、簡単に支持線２０に固定することが可能であり、且つ、容易に架線２１を挿通することが可能であった。
【００４６】
そして、支持線２０及び架線２１を強制的に揺らして架線敷設装置１に揺動及び振動を与え、レバー固定部１１の固定を解除させるようにした。すると、レバー固定解除部１２が何らかの原因により操作され、レバー固定部１１の固定が解除されたが、図１０に示すように、カラビナのフック部１６及びゲート部１７の構成により、いずれの架線敷設装置１も支持線２０に吊り下がった状態となり、落下しなかった。これにより、いずれの架線敷設装置１であっても、１００％落下することが無く、安全性に優れていることを確認出来た。
【産業上の利用可能性】
【００４７】
以上のように、本発明に係る架線敷設装置は、支持線に沿って架線を敷設する必要のある電線工事分野、電話線工事分野、太陽光発電工事分野、その他の工事分野に有用であり、ワンタッチで支持線に固定出来るとともに、支持線から１００％落下しないという、作業性と安全性の両方に優れる架線敷設装置として有効である。
【符号の説明】
【００４８】
１    架線敷設装置
１０  ハンドバイス
１１  レバー固定部
１２  レバー固定解除部
１３ａ、１３ｂ  弾性体
１４  ローラー群
１５  ローラー固定部
１６  フック部
１７  ゲート部
【図１】
2020036484.tif 000003
【図２】
2020036484.tif 000004
【図３】
2020036484.tif 000005
【図４】
2020036484.tif 000006
【図５】
2020036484.tif 000007
【図６】
2020036484.tif 000008
【図７】
2020036484.tif 000009
【図８】
2020036484.tif 000010
【図９】
2020036484.tif 000011
【図１０】
2020036484.tif 000012